(57)【要約】【課題】照度を、異なる２色のランプによる色合いの変化をもって、専門的な知識がなくとも感覚的に容易に把握できるようにする。【解決手段】異なる２色のランプ３，４の明るさを、照度センサー５によって測定された照度に基づいて制御する制御装置６を備え、測定された照度と対比する範囲を予め設定しておき、測定された照度が、設定された照度の範囲の上限値以上のとき、または設定された照度の範囲の下限値以下のときに、一方のランプの明るさを、上限または下限の明るさとし、他方のランプの明るさを、下限または上限の明るさとなるように制御する。設定された照度の範囲の上限値と下限値の間のときに、上限値側の場合には、前記一方のランプの明るさを明るくし、前記他方のランプの明るさを暗くする。下限値側の場合には、前記一方のランプの明るさを暗くし、前記他方のランプの明るさを明るくなるように制御する。【選択図】図１
2010107390.tif 000002
【特許請求の範囲】
【請求項１】
照明装置の外方の照度を測定する照度センサーと、透光性を有するケース内に設けられた異なる２色のランプと、これら両ランプの明るさを前記照度センサーによって測定された照度に基づいて制御する制御装置とを備え、
この制御装置が、前記照度センサーによって測定された照度と対比する範囲を予め設定しておき、測定された照度が、設定された照度の範囲の上限値以上のときに、前記両ランプのうちの一方のランプの明るさを、上限の明るさとし、他方のランプの明るさを、下限の明るさとなるように制御するとともに、
前記測定された照度が、設定された照度の範囲の下限値以下のときには、前記一方のランプの明るさを、下限の明るさとし、前記他方のランプの明るさを、上限の明るさとなるように制御し、かつ
前記測定された照度が、設定された照度の範囲の上限値と下限値の間のときに、上限値側の場合には、前記一方のランプの明るさを明るくし、前記他方のランプの明るさを暗くするとともに、下限値側の場合には、前記一方のランプの明るさを暗くし、前記他方のランプの明るさを明るくなるように制御するようにしたことを特徴とする照度表示装置。
【請求項２】
制御装置が、測定された照度が、設定された照度の範囲の上限値と下限値の間のときに、上限値側の場合には、どの程度上限値側にあるか、その程度に応じて、一方のランプの明るさを明るくし、他方のランプの明るさを暗くするとともに、下限値側の場合には、どの程度下限値側にあるか、その程度に応じて、前記一方のランプの明るさを暗くし、前記他方のランプの明るさを明るくなるように制御するようにした請求項１記載の照度表示装置。
【請求項３】
制御装置によってランプの明るさを制御して変化させる際に、前回の変化時からの経過時間が予め定めた所定時間を経過した後に行うようにした請求項１または２記載の照度表示装置。
【請求項４】
２色の各ランプを、ＬＥＤとした請求項１〜３のいずれかに記載の照度表示装置。
【請求項５】
２色の各ランプの色を、一方を緑、他方を赤とした請求項１〜４のいずれかに記載の照度表示装置。
【発明の詳細な説明】
【技術分野】
【０００１】
本発明は、照度表示装置に係り、例えば一般家庭内における照明装置からの光の照射による室内の照度を、専門的な知識がなくとも感覚的に把握可能にすることにより、省エネルギ化の向上が図れるようにした照度表示装置に関する。
【背景技術】
【０００２】
一般家庭においては、室内の照明装置による電力の無駄使いによって、電力消費量が大幅に増加する傾向にあり、家計的にも、また省エネルギ対策上においても、大きな問題となっている。
【０００３】
従来、照度の測定に用いられている照度計は、測定された照度が、数値化されて表示されるようになっているため（特許文献１参照）、例えば専門的な照度実験などを行う場合のように、定量的に照度を測定する際には有効であるが、一般の人にとっては専門的過ぎて、照度を感覚的に把握することは困難であり、室内を、それぞれの環境や雰囲気に応じた最適な明るさに調整することにより、省エネルギ化意識をもたせることができないばかりでなく、室内が明る過ぎたり、暗過ぎたりすると、目にも悪影響を及ぼす虞がある。
【特許文献１】特開２０００−３０４６０９号公報
【発明の開示】
【発明が解決しようとする課題】
【０００４】
本発明は、前記の現状に鑑み、照度を、異なる２色のランプによる色合いの変化をもって、専門的な知識がなくとも感覚的に容易に把握できるようにして、省エネルギ化意識を向上させるとともに、環境や雰囲気に応じた最適な明るさに調整することができるようにした照度表示装置を提供することを目的とする。
【課題を解決するための手段】
【０００５】
上記課題は、「特許請求の範囲」の欄における各請求項に記載するように、次のような構成からなる発明によって解決される。
【０００６】
（１）照明装置の外方の照度を測定する照度センサーと、透光性を有するケース内に設けられた異なる２色のランプと、これら両ランプの明るさを前記照度センサーによって測定された照度に基づいて制御する制御装置とを備え、この制御装置が、前記照度センサーによって測定された照度と対比する範囲を予め設定しておき、測定された照度が、設定された照度の範囲の上限値以上のときに、前記両ランプのうちの一方のランプの明るさを、上限の明るさとし、他方のランプの明るさを、下限の明るさとなるように制御するとともに、前記測定された照度が、設定された照度の範囲の下限値以下のときには、前記一方のランプの明るさを、下限の明るさとし、前記他方のランプの明るさを、上限の明るさとなるように制御し、かつ前記測定された照度が、設定された照度の範囲の上限値と下限値の間のときに、上限値側の場合には、前記一方のランプの明るさを明るくし、前記他方のランプの明るさを暗くするとともに、下限値側の場合には、前記一方のランプの明るさを暗くし、前記他方のランプの明るさを明るくなるように制御するようにする。
【０００７】
（２）上記（１）項において、制御装置が、測定された照度が、設定された照度の範囲の上限値と下限値の間のときに、上限値側の場合には、どの程度上限値側にあるか、その程度に応じて、一方のランプの明るさを明るくし、他方のランプの明るさを暗くするとともに、下限値側の場合には、どの程度下限値側にあるか、その程度に応じて、前記一方のランプの明るさを暗くし、前記他方のランプの明るさを明るくなるように制御するようにする。
【０００８】
（３）上記（１）項または（２）項において、制御装置によってランプの明るさを制御して変化させる際に、前回の変化時からの経過時間が予め定めた所定時間を経過した後に行うようにする。
【０００９】
（４）上記（１）〜（３）項のいずれかにおいて、２色の各ランプを、ＬＥＤとする。
【００１０】
（５）上記（１）〜（４）項のいずれかにおいて、２色の各ランプの色を、一方を緑、他方を赤とする。
【発明の効果】
【００１１】
本発明によると、次のような効果が奏せられる。
請求項１記載の発明によると、照度センサーによって測定された照度と対比する範囲を予め設定しておき、測定された照度が、設定された照度の範囲の上限値以上のときに、前記両ランプのうちの一方のランプの明るさを、上限の明るさとし、他方のランプの明るさを、下限の明るさとなるように制御するとともに、前記測定された照度が、設定された照度の範囲の下限値以下のときには、前記一方のランプの明るさを、下限の明るさとし、前記他方のランプの明るさを、上限の明るさとなるように制御し、かつ前記測定された照度が、設定された照度の範囲の上限値と下限値の間のときに、上限値側の場合には、前記一方のランプの明るさを明るくし、前記他方のランプの明るさを暗くするとともに、下限値側の場合には、前記一方のランプの明るさを暗くし、前記他方のランプの明るさを明るくなるように制御するようにしてあるため、照度を、両ランプからの異なる２色の単色または混色による色合いの変化をもって表示することができ、専門的な知識がなくとも、照度を感覚的に容易に把握することができる。
これにより、室内の照明を、減光または増光して調整すれば、省エネルギ化の向上を図ることができるとともに、環境や雰囲気に応じた最適な明るさに調整することができる。
【００１２】
請求項２記載の発明によると、測定された照度が、設定された照度の範囲の上限値と下限値の間のときに、上限値側の場合には、どの程度上限値側にあるか、その程度に応じて、一方のランプの明るさを明るくし、他方のランプの明るさを暗くするとともに、下限値側の場合には、どの程度下限値側にあるか、その程度に応じて、前記一方のランプの明るさを暗くし、前記他方のランプの明るさを明るくなるように制御するようにしてあるため、両ランプからの異なる２色の単色または混色による色合いを、徐々に変化させることができる。
【００１３】
請求項３記載の発明によると、制御装置によってランプの明るさを制御して変化させる際に、前回の変化時からの経過時間が予め定めた所定時間を経過した後に行うようにしてあるため、例えば照度表示装置からの光が、人影によって瞬間的に遮られたときなどの場合に、照度の誤測定を防止できる。
【００１４】
請求項４記載の発明によると、２色の各ランプを、ＬＥＤとしてあるため、色合いの変化を容易に行わせることができる。
【００１５】
請求項５記載の発明によると、２色の各ランプの色を、一方を緑、他方を赤としてあるため、二つの色の組合せによって、例えば適正な照度の場合を「黄色」、照度が適正値より低い場合を「緑色」、照度が適正値よりも高い場合（電力の無駄使い）を「赤色」とすれば、照度を、色合いの変化をもって、感覚的に容易に把握することができる。
【発明を実施するための最良の形態】
【００１６】
以下、本発明の具体的な実施の形態を挙げて、本発明を説明する。
図１は、本発明における一実施形態の照度表示装置を概略的に示す全体構成図、図２は、ランプ制御状態を示すフローチャートである。
【００１７】
図１に示すように、本発明の照度表示装置１は、例えば室内の机上に載置されて使用されるとともに、ほぼ上半部が半透明ガラスなどの透光性を有する壁面で囲まれたケース２と、このケース２内に設けられた発光ダイオード（ＬＥＤ）からなる２色１対のランプ、例えば緑色ランプ３および赤色ランプ４と、前記ケース２の上面中央部に設置された照度センサー５と、この照度センサー５によって測定された照度に基づいて緑色ランプ３および赤色ランプ４のそれぞれの明るさ（ルクス）を制御する、ケース２内の下部に収容された制御装置６とを備えている。
照度センサー５は、室内の天井等に設置された照明装置（図示しない）の外方の照度を測定するようになっている。
【００１８】
制御装置６は、電源７に接続された中央処理装置（以下、ＣＰＵと略記する）８を備えるとともに、このＣＰＵ８には、Ａ／Ｄコンバータ９、緑色のパルス幅変調（以下、ＰＷＭと略記する）出力回路１０、赤色のＰＷＭ出力回路１１が内蔵されている。
Ａ／Ｄコンバータ９には、照度センサー５が接続されているとともに、緑色のＰＷＭ出力回路１０および赤色のＰＷＭ出力回路１１には、電源７に接続された定電流回路１２を介して、それぞれ緑色ランプ３および赤色ランプ４が接続されている。
【００１９】
制御装置６は、照度センサー５によって測定された照度と対比する範囲を予め設定しておき、測定された照度が、設定された照度の範囲の上限値以上のときに、緑色ランプ３の明るさを、上限の明るさとし、赤色ランプ４の明るさを、下限の明るさとなるように、ＰＷＭ制御、すなわち、パルス幅変調によって、緑色ランプ３または赤色ランプ４の明るさの制御を行う。
具体的には、測定された照度が、設定された照度の範囲の上限値以上のときには、緑色ランプ３の明るさを、Ｄｕｔｙ比が１００％となるように明るくし、赤色ランプ４を消灯して、Ｄｕｔｙ比を０％として、緑色の色合いに単色表示する。
【００２０】
ここで、Ｄｕｔｙ比１００％の明るさとは、連続点灯して、消灯時間がない場合の明るさであり、いわゆる最大明るさをいう。
また、Ｄｕｔｙ比０％の明るさとは、連続消灯して、点灯時間がない場合の明るさであり、いわゆる消灯状態の明るさをいう。
【００２１】
一方、測定された照度が、設定された照度の範囲の下限値以下のときには、緑色ランプ３の明るさを、下限の明るさとし、赤色ランプ４の明るさを、上限の明るさとなるように、ＰＷＭ制御を行う。
すなわち、測定された照度が、設定された照度の範囲の下限値以下のときには、緑色ランプ３を消灯して、Ｄｕｔｙ比を０％とし、赤色ランプ４の明るさを、Ｄｕｔｙ比が１００％となるように明るくして、赤色の色合いに単色表示する。
【００２２】
また、測定された照度が、設定された照度の範囲の上限値と下限値の間のときに、上限値側の場合には、緑色ランプ３の明るさを明るくし、赤色ランプ４の明るさを暗くするとともに、下限値側の場合には、緑色ランプ３の明るさを暗くし、赤色ランプ４の明るさを明るくなるように、ＰＷＭ制御を行う。
【００２３】
すなわち、測定された照度が、設定された照度の範囲の上限値と下限値の間のときには、上限値側の場合には、どの程度上限値側にあるか、その程度に応じて、一方のランプの明るさを明るくし、他方のランプの明るさを暗くするとともに、下限値側の場合には、どの程度下限値側にあるか、その程度に応じて、前記一方のランプの明るさを暗くし、前記他方のランプの明るさを明るくなるように制御する。
例えば測定された照度が、上限値と下限値との中央にある場合には、緑色ランプ３のＤｕｔｙ比が５０％（点灯時間と消灯時間が同じ長さ）、赤色ランプ４のＤｕｔｙ比が５０％になるようにして、黄色の色合いに混色表示されるように制御される。
また、例えば測定された照度が、上限値と下限値の間にあって、７０％ほど上限値側にある場合には、緑色ランプ３のＤｕｔｙ比が７０％、赤色ランプ４のＤｕｔｙ比が３０％になるように制御される。
【００２４】
ここで、「Ｄｕｔｙ比」とは、照度測定のために与えられた緑色ランプ３または赤色ランプ４の点灯（ＯＮ）している時間と消灯（ＯＦＦ）している時間との総時間に対する点灯時間の比率を表す。
【００２５】
次に、本実施形態の照度表示装置１における緑色ランプ３および赤色ランプ４のＤｕｔｙ比に基づくＰＷＭ制御状態を、図２に示すフローチャートに基づいて説明する。
【００２６】
照度表示装置１における制御装置６の電源７をＯＮすることにより、図示しない電源ランプを点灯させると（ＳＴ１）、照度センサー５によって照明装置の外方における照度の測定が行われる（ＳＴ２）。
測定された照度は、制御装置６のＣＰＵ８によって、予め設定された照度範囲に基づいて、照度センサー５で測定した明るさを、Ｄｕｔｙ比に換算した後（ＳＴ３）、ＳＴ４に移行する。
この場合、Ｄｕｔｙ比の換算は、緑色ランプ３および赤色ランプ４毎に共に行われる。
【００２７】
ＳＴ４では、緑色ランプ３または赤色ランプ４の測定した照度を換算したＤｕｔｙ比が、１回前のＤｕｔｙ比よりも大きいかを判定し、小さい場合には、ＳＴ５に移行する。
また、Ｄｕｔｙ比が、１回前のＤｕｔｙ比よりも大きい場合には、ＳＴ６に移行して、１回前のＤｕｔｙ比に対する増加分を加算した後、ＳＴ５に移行する。
【００２８】
ＳＴ５では、緑色ランプ３または赤色ランプ４の測定した照度を換算したＤｕｔｙ比が、１回前のＤｕｔｙ比よりも小さいかを判定し、大きい場合には、ＳＴ７に移行する。
また、Ｄｕｔｙ比が、１回前のＤｕｔｙ比よりも小さい場合には、Ｓ８に移行して、１回前のＤｕｔｙ比に対する減少分を減算した後、ＳＴ７に移行する。
【００２９】
ＳＴ７では、緑色ランプ３または赤色ランプ４のＰＷＭ出力を変更した後、ＳＴ９に移行する。
すなわち、緑色ランプ３および赤色ランプ４のＰＷＭ制御は、測定した照度を換算したＤｕｔｙ比で直接出力するのではなく、１回前のＤｕｔｙ比と比較して、加算または減算を行うことにより、徐々に、緑色ランプ３および赤色ランプ４による色合いを変化させるようになっている。
【００３０】
ＳＴ９では、照度センサー５による測定開始から測定終了までの間の経過時間が、所定時間経過したか否かを判定するもので、所定時間経過しない場合は、この判定が繰返し行われるとともに、所定時間経過した場合には、ＳＴ２に戻って、新たな照度の測定が行われる。
すなわち、緑色ランプ３、赤色ランプ４の明るさを制御して変化させる際に、前回の変化時からの経過時間が、予め定めた所定時間を経過して後に行うようにすることにより、例えば照明装置からの光が人影になどによって瞬間的に遮られたときなどの場合に、照度の誤測定を防止するようにしている。
【図面の簡単な説明】
【００３１】
【図１】本発明における一実施形態の照度表示装置を概略的に示す全体構成図である。
【図２】ランプのＰＷＭ制御状態を示すフローチャートである。
【符号の説明】
【００３２】
１    照度表示装置
２    ケース
３    緑色ランプ（ＬＥＤ）
４    赤色ランプ（ＬＥＤ）
５    照度センサー
６    制御装置
７    電源
８    中央処理装置（ＣＰＵ）
９    Ａ／Ｄコンバータ９
１０  ＰＷＭ出力回路（緑）
１１  ＰＷＭ出力回路（赤）
１２  定電流回路
【図１】
2010107390.tif 000003
【図２】
2010107390.tif 000004